(57)【要約】【課題】使用者が風の範囲および風速を適宜変更することが可能になる送風装置を提供する。【解決手段】送風装置は、起立させた複数のピラーと、ピラーは、側部にピラーを起立させた方向に対して垂直方向に高圧空気発生部で発生した高圧空気を外部に吹出気流として吹き出す吹出口を備え、複数のピラーは、垂直方向の断面が吹出方向に縦長であり、複数のピラーの吹出口が同一面となるように間隙を設けて配置され、隣接するピラーの間隙に吹出気流に誘引される誘引気流が通過する誘引気流領域が形成され、ピラーの鉛直方向の中央より上方または下方の誘引気流領域の一部を塞ぐ遮蔽手段を備えている。【選択図】図４
2019116840.tif 000002
【特許請求の範囲】
【請求項１】
起立させた複数のピラーを有し、
前記ピラーは、側部に前記ピラーを起立させた方向に対して垂直方向に高圧空気発生部で発生した高圧空気を外部に吹出気流として吹き出す吹出口を備え、
前記ピラーは、前記垂直方向の断面が吹出方向に縦長であり、
複数の前記ピラーは、所定の間隙を設けて配置され、隣接する前記ピラーとの間に形成される前記間隙に前記吹出気流に誘引される誘引空気流が通過する誘引風路が形成され、
前記ピラーの鉛直方向の中央より上方または下方の前記誘引風路の一部を塞ぐ遮蔽手段を備えることを特徴とする送風装置。
【請求項２】
前記遮蔽手段は、前記誘引風路を塞ぐ領域を変更できるよう可動手段を備えることを特徴とする請求項１に記載の送風装置。
【請求項３】
前記遮蔽手段は、前記ピラーの前記吹出口が設けられた側面と対向する側面側に配置されていることを特徴とする請求項１または請求項２に記載の送風装置。
【請求項４】
前記遮蔽手段は、隣接する前記ピラー間の前記間隙内に設けられていることを特徴とする請求項１または２に記載の送風装置。
【発明の詳細な説明】
【技術分野】
【０００１】
本発明は、居室内や屋外に設置され、直接気流による体感温度の減少や室内の空気の循環に使用される扇風機などの送風装置に関するものである。
【背景技術】
【０００２】
従来、この種の送風装置は、羽根車とモータを台座となる基部に内包して、基部上部に備えられた円環形状の送風部から床面と水平方向に吹出すようにして空気の循環及び空気の流れを生じさせる家庭用送風装置が知られている（例えば、特許文献１参照）。
【０００３】
以下、その送風装置について図８および図９を参照しながら説明する。
【０００４】
図８には、送風機組立体１００の正面視図を、図９には、送風機組立体１００の要部断面図を示している。送風機組立体１００は、中央開口部１０２を画定する環状ノズル１０１を有している。送風機組立体１００の基部１１６内部には、環状ノズル１０１を通る空気流を生じさせる送風装置が配置されている。送風装置は、インペラ（羽根車）１３０が、モータハウジング１２６と共に配置されたモータ１２２から外方に延びる回転シャフトに連結され、ディフューザ１３２が、インペラ１３０の下流側に位置決めされている。モータ１２２は、図示しない電気接続部及び電源に接続され、図８に示す複数個の選択ボタン１２０により、ユーザは、送風機組立体１００を操作することができる。
【０００５】
上記構成で、送風機組立体１００は、以下のように動作する。
【０００６】
使用者が複数個の選択ボタン１２０の中から好みの風量のボタンを選択して、モータ１２２が起動されると、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。空気流は、口１１２に入る際に絞られ、口１１２の出口１４４で更に絞られる。この絞りにより、環状ノズル１０１内に圧力が生じる。
【０００７】
このように作られた空気流は、絞りにより生じる圧力に打ち勝ち、一次空気流として出口１４４を通って出る。一次空気流は、ガイド部分１４８の配置により、ユーザに向かって集中または集束して向けられる。二次空気流は、外部環境、特に出口１４４周りの領域及び環状ノズル１０１の外縁部周りからの空気の吸引によって生じる。この二次空気流は、中央開口部１０２を通り、ここで、一次空気流と混ざり合って送風機組立体１００から前方に放出される全空気流が生じる。
【先行技術文献】
【特許文献】
【０００８】
【特許文献１】特開２０１０−０７７９６９号公報
【発明の概要】
【発明が解決しようとする課題】
【０００９】
このような従来の送風装置では、送風風路は常に変化することなく一定であるため、吹出す風の範囲は固定されたものであり、使用者がその時々に望む風の範囲に変更できないという課題を有していた。
【００１０】
そこで本発明は、上記の従来の課題を解決するものであり、使用者が風の範囲を可変できる送風装置を提供することを目的とする。
【課題を解決するための手段】
【００１１】
そして、この目的を達成するために、本発明は、起立させた複数のピラーを有し、ピラーは、側部にピラーを起立させた方向に対して垂直方向に高圧空気発生部で発生した高圧空気を外部に吹出気流として吹き出す吹出口を備え、ピラーは、垂直方向の断面が吹出方向に縦長であり、複数のピラーは、所定の間隙を設けて配置され、隣接するピラーとの間に形成される間隙に前記吹出気流に誘引される誘引空気流が通過する誘引風路が形成され、ピラーの鉛直方向の中央より上方または下方の誘引風路の一部を塞ぐ遮蔽手段を備えることを特徴とする送風装置としたものであり、これにより所期の目的を達成するものである。
【発明の効果】
【００１２】
本発明によれば、ピラーに設けられた吹出口より送風される吹出気流に誘引される誘引空気流が通過する誘引風路を遮蔽手段によって遮蔽することで誘引気流の風量を調整することが可能である。さらに、ピラー鉛直方向の中央より下方における誘引気流を遮蔽手段で遮蔽することにより、下方かつ複数のピラーのうち中央に位置するピラーの吹出気流に集約された気流を送出することができ、涼感を得たい使用者への狭い範囲への送風が可能になる。また、ピラー鉛直方向の中央より上方における誘引気流を遮蔽手段で遮蔽することにより、上方かつ複数のピラーのうち中央に位置するピラーの吹出気流に集約された気流を創出することができ、室内の床面に近い領域にいる使用者への送風量を減らすことができ、室内上方に気流が集まることで、空気循環の効率を高めることが可能になる。すなわち使用者の希望に応じて、風の送風範囲を適宜変更することが可能になる。
【図面の簡単な説明】
【００１３】
【図１】本発明の送風装置の概要を説明する前方斜視図
【図２】同実施の形態１の送風装置の正面図
【図３】同実施の形態１の送風装置を上方から見た図
【図４】（ａ）同実施の形態１の送風装置の正面図、（ｂ）側面図、（ｃ）上面図
【図５】同実施の形態１の送風装置の遮蔽手段の構成図
【図６】同実施の形態１の送風装置の遮蔽手段の構成図
【図７】同実施の形態１の送風装置の高圧空気発生部を示す図
【図８】従来技術の一例を示す正面図
【図９】従来技術の一例を示す正面図
【発明を実施するための形態】
【００１４】
本発明の請求項１に係わる送風装置は、起立させた複数のピラーを有し、ピラーは、側部にピラーを起立させた方向に対して垂直方向に高圧空気発生部で発生した高圧空気を外部に吹出気流として吹き出す吹出口を備え、ピラーは、垂直方向の断面が吹出方向に縦長であり、複数のピラーは、所定の間隙を設けて配置され、隣接するピラーとの間に形成される間隙に前記吹出気流に誘引される誘引空気流が通過する誘引風路が形成され、ピラーの鉛直方向の中央より上方または下方の誘引風路の一部を塞ぐ遮蔽手段を備えることを特徴とするものである。
【００１５】
これにより、ピラーに設けられた吹出口より送風される吹出気流に誘引される誘引空気流が通過する誘引風路を遮蔽手段によって、遮蔽することで誘引気流の風量を調整することが可能である。したがって、遮蔽手段によって、誘引風路からの誘引空気流量をピラーの鉛直方向において変化させることで、誘引気流領域の圧力が変化し、圧力が低い領域から圧力の高い領域へと誘引する気流が発生する。この圧力変化による気流が吹出気流を変化させることができる。したがって、使用者の希望に応じた風の範囲を適宜変更することが可能になるという効果を備えている。
【００１６】
また、遮蔽手段は、誘引風路を塞ぐ領域を変更できるよう可動手段を備える構成としてもよい。これにより、隣接するピラーの鉛直方向の中央より下方または上方へ遮蔽手段を移動させることで、主な誘引風路からの誘引空気流をピラーの鉛直方向上側に送風するのか鉛直方向下側に送風するのか適宜変化することができる。したがって、誘引気流領域の圧力が低い領域及び圧力の高い領域を適宜変更させることができ、送風装置の吹出方向の流れを適宜変更させることができる。したがって、可動手段を備える遮蔽手段は、使用者の希望に沿って風の範囲や向きを適宜変更することが可能になるという効果を備えている。
【００１７】
また、遮蔽手段は、ピラーの吹出口が設けられた側面と対向する側面に配置される構成としてもよい。ピラーの側面に遮蔽手段を設けることで、誘引風路を効率よく遮蔽することができ、簡易な構成で遮蔽手段の設置及び取り外しを行うことができる。
【００１８】
また、遮蔽手段は、隣接するピラー間の間隙内に設ける構成としてもよい。隣接するピラー間に遮蔽手段を設けることで、遮蔽された誘引風路を小さくすることができ、効率よく遮蔽することができるという効果を備えている。
【００１９】
以下、本発明を実施するための形態について、添付図面を参照して説明する。なお、以下の実施の形態は、本発明を具体化した一例であって、本発明の技術的範囲を限定するものではない。また、重複を避けるため、全図面を通して、同一の部位については同一の符号を付して二度目以降の説明を省略している。
【００２０】
（実施の形態１）
まず、図１、２、３を参照して、本発明の第１実施形態に係る送風装置１１について説明する。図１は、居室Ｒに設置された送風装置１１の斜視図であり、図２は、図１の送風装置１１の右側断面図、図３は、図１の送風装置１１の上面から見た模式図である。
【００２１】
送風装置１１は、住宅の居室Ｒ内に向かって気流を送風するものであり、図１に示す通り、居室Ｒの一壁面である床面１０から起立させた複数の等しい長さのピラー１３（本実施形態では６個）を備えている。各ピラー１３は、長片状の形状であり、ピラーの起立方向に対して垂直な方向で切った断面は、短辺と長辺とで形成された長方形となっており、これら複数のピラー１３の上部は天板３２で繋がれている。なお、ピラー１３の上部を天板３２で繋げずに、複数のピラー１３の間隙が上部で開放されていてもよく、また、ピラー１３は、天井面を貫通し、天井面の上方へ突出させるように設けてもよい。
【００２２】
床面１０の内部（床下４０）には、図２に示す通り、高圧空気を発生させための羽根車１６と羽根車１６を駆動させるためのモータ１７で構成されたファンモータ１８が設けられている。各ピラー１３は、図１及び図２に示す通り、ピラー１３を起立させた方向に対して垂直な方向に、ファンモータ１８で発生した高圧空気を吹出す吹出口１９を備えている。
【００２３】
本実施形態では、吹出口１９は、ピラー１３の短辺側の側面に設けられている。また、ピラー１３の内部には、ファンモータ１８で発生した高圧空気を吹出口１９に導くためのダクト２０が備えられている。ダクト２０は、ピラー１３と同数備えられている。ファンモータ１８とダクト２０の間には高圧空気を各ピラー１３のダクト２０へ分流するチャンバー２１が、床下４０に設けられている。ファンモータ１８により発生した高圧空気は、床下４０にある流路１２を介してチャンバー２１に導かれて、チャンバー２１により各ダクト２０に分流される。
【００２４】
ピラー１３は、図３に示す通り、ピラー１３の起立方向に対して垂直方向の断面が吹出方向に向かって縦長である。複数のピラー１３は、それぞれの短辺側に設けられた吹出口１９が同一面となるように配置し、また、隣接するピラー１３はピラー１３の長辺側の側面間に間隙を空けて、向い合せて配置している。
【００２５】
この間隙によって、吹出口１９から吹出す気流に誘引される空気の誘引風路２２が形成されている。本実施形態の例では、ピラー１３を６本設けているので、ピラー１３に挟まれた間隙にそれぞれ誘引風路２２がピラー１３の数より少ない５本形成できる。
【００２６】
また本実施形態では、ピラー１３の起立方向に対して垂直方向の断面形状は、長方形としたが、吹出し方向に縦長であればよく、楕円形状等の他の形状でもよい。ここで、複数のピラー１３とは２本以上のことを示す。また、高圧空気とは大気圧以上の空気を示すものとする。
【００２７】
図２に示す送風装置の構成によれば、送風装置１１が稼動すると、モータ１７が駆動し、羽根車１６が回転することにより高圧空気が発生し、流路１２を介してチャンバー２１に至る。高圧空気は、チャンバー２１で複数のダクト２０に分流され、内部流れ２３のように各ダクト２０を通過し、吹出口１９近傍に設けられた風向調整リブ２４でピラー１３の鉛直方向（高さ方向）における送風方向が調整され、吹出口１９から吹出されて、吹出空気流２５となる。そして、吹出空気流２５により、誘引風路２２と最外部に位置するピラー１３の外側の空気が誘引され、誘引空気流２６となる。この吹出空気流２５と誘引空気流２６とが、送風装置１１の吹出口の下流で合流され、広範囲に均一な気流を創出することができる。
【００２８】
図３に示すように、ピラー１３の吹出口１９を同一面となるように配置し、隣接するピラー１３は、ピラー１３の長辺側の側面間に間隙を空けて、ピラー１３の長辺側の側面同士が対向するように配置している。この構成によって、各ピラー１３の吹出口１９から吹出された吹出気流は、隣接するピラー１３の吹出気流との圧力差が生じにくい為、吹出方向に沿った直線的な安定した気流が発生し、吹出す気流は面気流５０となる。面気流５０は、広範囲に略均一な風速の気流であり、直進性に優れ、遠方まで風速の減衰が少なく到達することができる。
【００２９】
図４に本実施の形態１の送風装置１１の（ａ）正面図、（ｂ）側面図、（ｃ）上面図を示す。図４に示すように、本実施の形態１では、ピラー１３の鉛直方向の中央より下方で、ピラー１３の吹出口１９が設けられた側面と対向する側面すなわち吹出口１９の反対側の側面に、誘引風路の一部を塞ぐ遮蔽手段５１が配置され、ピラー１３の側面上で可動するように構成されている。
【００３０】
図４には例として、遮蔽手段５１が隣接するピラー１３の鉛直方向の中央より下方に設置された状態を示している。このような構成によれば、隣接するピラー１３の鉛直方向の中央より上方では、誘引風路２２の空気と最外部のピラー１３の外側の空気とが誘引され、吹出空気流２５による誘引空気流２６が発生する領域が存在する。また、隣接するピラー１３の鉛直方向の中央より下方では、遮蔽手段５１により、誘引風路２２が塞がれ、誘引空気流２６が発生しにくい領域が存在することとなる。すなわち、誘引風路２２からの誘引空気流２６の流量がピラー１３の鉛直方向で変化することにより、誘引風路２２内の圧力が変化する。これにより、図４（ｂ）に示すように、誘引空気流２６が発生しない領域よりも発生する領域のほうが、送風装置１１の吹出方向前方では、送風する流量は多くなるが、誘引空気流２６を発生させるときに吹出空気流２５方向と逆向きの力がはたらくため、誘引空気流２６が発生する領域の吹出空気流２５の速度は遅くなる。すなわち図４（ｂ）のピラー１３上方の吹出空気流２５の速度は遅くなる。
【００３１】
これにより、図４（ｂ）、（ｃ）に示すように、送風装置１１の吹出方向前方でピラー１３上方の吹出空気流２５は、ピラー１３下方の風速が速い吹出空気流２５に合流し、合流した空気の流れ５２は鉛直方向の下方へ向くことになる。一方、左右方向においては、吹出空気流２５により遮蔽手段５１を設けた複数のピラー１３の下方の間隙内は気流が発生しないため負圧となっている。
【００３２】
一方、左右に間隙のあるピラー１３の上方からの吹出空気流２５は、間隙より空気を誘引し直進性を持ち吹き出すが、一番外側のピラー１３より吹き出す吹出空気流２５は、圧力のバランスが不均等なため、圧力が低い隣接するピラーの間隙側に誘引される。よって、外側のピラー１３から吹き出す吹出空気流２５は、中央に向かって誘引され、気流は複数のピラー１３のうち中央に位置するピラー１３の吹出気流に集約する。したがって、遮蔽手段５１を各ピラー１３の鉛直方向の中央より下方に設置することにより、気流は鉛直方向下方、左右方向においては中央へ集約した気流を創出することができる。
【００３３】
また、図示はしないが、遮蔽手段５１を各ピラー１３の鉛直方向の中央より上方へ設置した場合には、隣接するピラー１３の鉛直方向の中央より下方で誘引風路２２の空気と最外部のピラー１３の外側の空気とが誘引され、吹出空気流２５による誘引空気流２６が発生する領域が存在する。また、隣接するピラー１３の鉛直方向の中央より上方では、遮蔽手段５１により、誘引風路２２が塞がれ、誘引空気流２６が発生しにくい領域が存在することとなる。すなわち、誘引風路２２からの誘引空気流２６の流量がピラー１３の鉛直方向で変化することにより誘引風路２２内の圧力が変化する。これにより、誘引空気流２６が発生しない領域よりも発生する領域のほうが、送風装置１１の吹出方向前方では、送風する流量は多くなるが、誘引空気流２６を発生させるときに吹出空気流２５方向と逆向きの力がはたらくため、誘引空気流２６が発生する領域の吹出空気流２５の速度は遅くなる。すなわちピラー１３下方の吹出空気流２５の速度は遅くなる。これにより、送風装置１１の吹出方向前方でピラー１３下方の吹出空気流２５は、ピラー１３上方の風速が速い吹出空気流２５に合流し、合流した空気の流れ５２は上方へ向くことになる。一方、左右方向においては、吹出空気流２５により遮蔽手段５１を設けた複数のピラー１３の上方の間隙内は気流が発生しないため負圧となっている。左右に間隙のあるピラー１３の下方からの吹出空気流２５は、間隙より空気を誘引し直進性を持ち吹き出すが、一番外側のピラー１３より吹き出す吹出空気流２５は、ピラー１３の左右の圧力のバランスが不均等なため、圧力が低い隣の間隙側に寄るようにして吹き出す。よって、外側のピラー１３の下方から吹き出す吹出空気流２５は、中央へ誘引され、気流は複数のピラー１３のうち中央に位置するピラー１３の吹出気流に集約する。したがって、遮蔽手段５１が隣接するピラー１３の鉛直方向の中央より下方に設置することにより、気流は鉛直方向上方、中央へ集約した気流を創出することができる。
【００３４】
よって、本実施の形態の送風装置は上記のように遮蔽手段５１を設けることにより、使用者の希望に沿って風の範囲や向きを適宜変更することが可能になるという効果を備えている。
【００３５】
また、本実施の形態において、遮蔽手段５１は、ピラー１３の鉛直方向の中央より上方または下方の誘引風路２２を塞ぐ構成としたが、これを手動で使用者が送風装置１１に脱着、移動できるようにしてもよい。図５に遮蔽手段５１の移動手段を示す図を示す。図に示すように、たとえば、ピラー１３の吹出空気流の吹き出し方向と対する面にレール５３を設け、使用者が適宜遮蔽手段５１を手動で移動できるようにすることも可能である。これにより、送風装置１１内で稼動させるための複雑な構造を必要としないため、組立工数およびコストを削減することが可能になる。ただし、ステッピングモータなどによって遮蔽手段５１が稼動するような機構を採用することによって、使用者がステッピングモータなどを稼動させるリモコンを用いることで、自動で遮蔽手段５１の移動、脱着が可能になるようにしてもよい。これにより、使用者に労力や時間を強いることなく、風の範囲を適宜変更することが可能になる。
【００３６】
図６に本実施の形態の遮蔽手段５１の構成図を示す。また、本実施の形態の遮蔽手段５１は、図６に示すように、隣接するピラー１３間の間隙内に設けられている構成としてもよい。この構成により、遮蔽手段は大きな板ではなく、ピラー１３ごとの間隙を塞ぐ構成とできるので、遮蔽手段５１を小型化でき製作が容易となる。
【００３７】
なお、本実施の形態において、ピラー１３は、床面１０から起立させ、高圧空気が発生するファンモータ１８部は床面１０の内部（床下）に設ける構成としたが、図７に示すように、高圧空気発生部５は筐体５４内に内包する構成としてもよい。これにより、使用者が外部から接触できない構造となっているため、接触による不安感はなく、ファンモータ１８付近にあつまるほこり等の掃除が容易となる。
【００３８】
また、本実施の形態において、ピラー１３は全て吹出方向と平行に備えられているが、ピラー１３の向きや本数に特に制限は無い。複数のピラー１３のうち中央に配置されたピラーから外側に設けられたピラー１３に向かうにつれて、中央部のピラー１３に対して空気の吹出方向が離れていくように広角に吹出気流が送風される構成してもよい。これにより、複数のピラー１３のうち中央に位置するピラー１３の吹出気流が集まる現象を抑制することになり、風の範囲を広くすることが可能になる。
【００３９】
また、本実施の形態において、ピラー１３の本数を６本としているが、これらの設計値に特に制限は無い。ただし、使用者がスペースやデザインによって、送風装置１１の幅およびピラー１３の本数等を適宜変更することができる。
【産業上の利用可能性】
【００４０】
本発明にかかる送風装置および送風機は、使用者が風の範囲を適宜変更することができる送風装置として有用である。
【符号の説明】
【００４１】
１０    床面
１１    送風装置
１３    ピラー
１２    流路
１６    羽根車
１７    モータ
１８    ファンモータ
１９    吹出口
２０    ダクト
２１    チャンバー
２２    誘引風路
２３    内部流れ
２４    風向調整リブ
２５    吹出空気流
２６    誘引空気流
３２    天板
４０    床下
５０    面気流
５１    遮蔽手段
５２    空気の流れ
５３    レール
５４    筐体
【図１】
2019116840.tif 000003
【図２】
2019116840.tif 000004
【図３】
2019116840.tif 000005
【図４】
2019116840.tif 000006
【図５】
2019116840.tif 000007
【図６】
2019116840.tif 000008
【図７】
2019116840.tif 000009
【図８】
2019116840.tif 000010
【図９】
2019116840.tif 000011